(57)【特許請求の範囲】
【請求項１】
電子機器に対する付属器具の着脱構造であって、
前記電子機器及び前記付属器具のいずれか一方の着脱面から突出した係合凸部と、いずれか他方の着脱面に設けられ、前記係合凸部を挿脱可能な着脱口及び該着脱口と連通形成されて該着脱口に挿入された前記係合凸部をスライドさせた場合に該係合凸部と係合可能な係合凹部とを有する係合機構と、
前記電子機器及び前記付属器具のいずれか一方に設けられた磁石と、いずれか他方に設けられて前記磁石と吸着可能な磁石又は被吸着体とを有し、前記係合凸部と前記係合凹部とが係合した状態では前記磁石と前記磁石又は被吸着体とが吸着した状態となる吸着機構と、
を備えることを特徴とする着脱構造。
【請求項２】
請求項１記載の着脱構造において、
前記係合凸部は、先端に厚肉部を有する板状部材であり、
前記着脱口は、前記係合凸部の厚肉部を挿脱可能な開口幅を有し、
前記係合凹部は、前記着脱口に挿入された前記係合凸部をスライドさせた場合に前記厚肉部をスライド方向に挿脱可能な拡幅部を有すると共に、該拡幅部に挿入された前記厚肉部を前記スライド方向と交差する方向に係止可能な開口幅を有し、前記着脱口と一体に形成されていることを特徴とする着脱構造。
【請求項３】
請求項１又は２記載の着脱構造において、
前記付属器具には前記係合凸部が設けられ、
前記電子機器には前記着脱口及び前記係合凹部が設けられていることを特徴とする着脱構造。
【請求項４】
請求項１〜３のいずれか１項に記載の着脱構造において、
前記吸着機構は、前記電子機器に設けられ、前記係合凸部のスライド方向に沿って複数並べられると共にＮ極とＳ極とが交互に配置された前記磁石と、
前記付属器具に設けられ、前記係合凸部のスライド方向に沿って複数並べられると共にＮ極とＳ極とが交互に配置された前記磁石とを有し、
前記係合凸部と前記係合凹部とが係合した状態では、前記電子機器に設けられた磁石のＮ極及びＳ極と前記付属器具に設けられた磁石のＳ極及びＮ極とが互いに対面配置されて吸着した状態となることを特徴とする着脱構造。
【請求項５】
請求項４記載の着脱構造において、
前記係合凸部と前記係合凹部とが係合していない状態では、前記電子機器に設けられた磁石と前記付属器具に設けられた磁石とは、少なくとも一部で互いのＮ極及びＮ極と互いのＳ極及びＳ極とが対面配置されて反発した状態となることを特徴とする着脱構造。
【請求項６】
請求項１〜５のいずれか１項に記載の着脱構造を用いて前記付属器具を着脱可能に構成したことを特徴とする電子機器。
【請求項７】
請求項６記載の電子機器において、
前記付属器具は、前記電子機器に設けられたディスプレイ装置を覆うカバー部材であることを特徴とする電子機器。
【請求項８】
請求項７記載の電子機器において、
前記カバー部材は、折り曲げて変形させることで当該電子機器を起立姿勢に保持するスタンド部材として機能することを特徴とする電子機器。
【請求項９】
請求項１〜５のいずれか１項に記載の着脱構造を用いて前記電子機器に着脱されることを特徴とする付属器具。
【請求項１０】
請求項９記載の付属器具において、
前記係合凸部及び前記磁石が設けられた装着部と、
前記電子機器に設けられたディスプレイ装置を覆うカバー部と、
前記装着部と前記カバー部との間を折り曲げ可能に連接する連接部とを備えることを特徴とする付属器具。
【請求項１１】
請求項１０記載の付属器具において、
前記カバー部を折り曲げて変形させることで前記電子機器を起立姿勢に保持するスタンド部材として機能することを特徴とする付属器具。
【発明の詳細な説明】
【技術分野】
【０００１】
本発明は、電子機器に対する付属器具の着脱構造、該着脱構造を用いて付属器具を着脱可能な電子機器及び該着脱構造を用いて電子機器に着脱される付属器具に関する。
【背景技術】
【０００２】
近年、タッチパネル式の液晶ディスプレイを有するタブレット型パーソナルコンピュータ（タブレット型ＰＣ）が急速に普及している。タブレット型ＰＣは持ち運びが容易であることから、手で把持した状態で或いは鞄等に収納した状態で持ち運ばれる場面が非常に多い。そこで、タブレット型ＰＣでは持ち運び時等での液晶ディスプレイの保護のため、着脱可能なカバー部材が用いられることがある。
【０００３】
例えば、特許文献１には、タブレット型ＰＣの液晶ディスプレイを覆うカバー部材をタブレット型ＰＣの筐体に対して磁石を用いて着脱する着脱構造が開示されている。この着脱構造はタブレット型ＰＣの筐体の側面を着脱面とし、この着脱面に埋設された磁石に対してカバー部材側の着脱面に埋設された磁石を吸着させ、これによりタブレット型ＰＣにカバー部材を着脱可能としたものである。
【先行技術文献】
【特許文献】
【０００４】
【特許文献１】特表２０１２−５２９７２０号公報
【発明の概要】
【発明が解決しようとする課題】
【０００５】
上記特許文献１の構成では、カバー部材を磁力でタブレット型ＰＣに装着するため、その着脱が容易である。従って、例えば、持ち運び時以外にはカバー部材を外しておきたいユーザや、カバー部材を液晶ディスプレイのクリーナーとして利用するユーザ等にとっては非常に利便性の高いものとなっている。
【０００６】
ところが、この構成では、カバー部材を磁力のみでタブレット型ＰＣに装着しているため、カバー部材に対する力のかかり具合によってはカバー部材が容易に外れてしまうことがある。例えば、磁石同士の吸着方向に沿った外力に対してはカバー部材は容易に外れることはないが、吸着方向に垂直な方向の外力が付与されると簡単に外れてしまう。
【０００７】
また、特許文献１の構成では、カバー部材を側面視三角形状に折り曲げ変形させることでタブレット型ＰＣのスタンドとして機能させることができる。ところが、このようなスタントを用いてタブレット型ＰＣを起立姿勢に保持した状態では、液晶ディスプレイに対するタッチ操作の押圧方向が前記吸着方向に垂直な方向となる場合がある。そうすると、タッチ操作時にスタンドが倒れてしまう懸念もある。
【０００８】
本発明は、上記従来技術の課題を考慮してなされたものであり、電子機器に対して付属器具を容易に着脱することができ、しかも高い保持力を持って装着することができる着脱構造、該着脱構造を用いて付属器具を着脱可能な電子機器及び該着脱構造を用いて電子機器に着脱される付属器具を提供することを目的とする。
【課題を解決するための手段】
【０００９】
本発明に係る着脱構造は、電子機器に対する付属器具の着脱構造であって、前記電子機器及び前記付属器具のいずれか一方の着脱面から突出した係合凸部と、いずれか他方の着脱面に設けられ、前記係合凸部を挿脱可能な着脱口及び該着脱口と連通形成されて該着脱口に挿入された前記係合凸部をスライドさせた場合に該係合凸部と係合可能な係合凹部とを有する係合機構と、前記電子機器及び前記付属器具のいずれか一方に設けられた磁石と、いずれか他方に設けられて前記磁石と吸着可能な磁石又は被吸着体とを有し、前記係合凸部と前記係合凹部とが係合した状態では前記磁石と前記磁石又は被吸着体とが吸着した状態となる吸着機構とを備えることを特徴とする。
【００１０】
このような構成によれば、電子機器と付属器具との間を係合機構での機械的な連結構造と吸着機構での磁力による吸着構造とで装着することができるため、電子機器に対して高い保持力を持って装着することができる。しかも、係合機構は係合凸部を係合凹部に対してスライドさせるだけで係脱できるため、着脱も容易である。
【００１１】
前記係合凸部は、先端に厚肉部を有する板状部材であり、前記着脱口は、前記係合凸部の厚肉部を挿脱可能な開口幅を有し、前記係合凹部は、前記着脱口に挿入された前記係合凸部をスライドさせた場合に前記厚肉部をスライド方向に挿脱可能な拡幅部を有すると共に、該拡幅部に挿入された前記厚肉部を前記スライド方向と交差する方向に係止可能な開口幅を有し、前記着脱口と一体に形成されていると、簡素な構成で係合機構を構築することができる。
【００１２】
前記付属器具には前記係合凸部が設けられ、前記電子機器には前記着脱口及び前記係合凹部が設けられていると、電子機器の外面に凸形状が形成されることを回避できる。
【００１３】
前記吸着機構は、前記電子機器に設けられ、前記係合凸部のスライド方向に沿って複数並べられると共にＮ極とＳ極とが交互に配置された前記磁石と、前記付属器具に設けられ、前記係合凸部のスライド方向に沿って複数並べられると共にＮ極とＳ極とが交互に配置された前記磁石とを有し、前記係合凸部と前記係合凹部とが係合した状態では、前記電子機器に設けられた磁石のＮ極及びＳ極と前記付属器具に設けられた磁石のＳ極及びＮ極とが互いに対面配置されて吸着した状態となるとよい。そうすると、電子機器に対する付属器具の装着状態を確実に保持することができる。また、磁石のＮ極とＳ極が交互に並べられているため、互いの吸着力及び反発力を利用して付属器具をスライドさせることができ、着脱動作が一層円滑なものとなる。
【００１４】
この場合、前記係合凸部と前記係合凹部とが係合していない状態では、前記電子機器に設けられた磁石と前記付属器具に設けられた磁石とは、少なくとも一部で互いのＮ極及びＮ極と互いのＳ極及びＳ極とが対面配置されて反発した状態となると、磁石の反発力を確実に発生させることができ、付属器具の着脱が一層円滑なものとなる。
【００１５】
本発明に係る電子機器は、上記構成の着脱構造を用いて前記付属器具を着脱可能に構成したことを特徴とする。
【００１６】
この場合、前記付属器具は、前記電子機器に設けられたディスプレイ装置を覆うカバー部材であってもよい。
【００１７】
前記カバー部材は、折り曲げて変形させることで当該電子機器を起立姿勢に保持するスタンド部材として機能するものであってもよい。この構成の場合にも、係合機構と吸着機構を備えた着脱構造によって電子機器にスタンド部材となるカバー部材が強固に固定されるため、スタンド部材によって起立させた電子機器を操作しても容易に倒れることがない。
【００１８】
本発明に係る付属器具は、上記構成の着脱構造を用いて前記電子機器に着脱されることを特徴とする。
【００１９】
この場合、前記係合凸部及び前記磁石が設けられた装着部と、前記電子機器に設けられたディスプレイ装置を覆うカバー部と、前記装着部と前記カバー部との間を折り曲げ可能に連接する連接部とを備える構成であってもよい。
【００２０】
前記カバー部を折り曲げて変形させることで前記電子機器を起立姿勢に保持するスタンド部材として機能するもの構成であってもよい。
【発明の効果】
【００２１】
本発明によれば、電子機器と付属器具との間を係合機構での機械的な連結構造と吸着機構での磁力による吸着構造とで装着することができるため、電子機器に対して高い保持力を持って装着することができる。しかも、係合機構は係合凸部を係合凹部に対してスライドさせるだけで係脱できるため、着脱も容易である。
【図面の簡単な説明】
【００２２】
【図１】図１は、本発明の一実施形態に係る電子機器に対して着脱構造を用いてカバー部材を装着した状態を示す斜視図である。
【図２】図２は、図１に示すカバー部材で電子機器を覆った状態を示す側面図である。
【図３】図３は、図１に示すカバー部材を折り曲げてスタンド部材とし、電子機器を起立姿勢に保持した状態を示す側面図である。
【図４】図４は、本発明の一実施形態に係る着脱構造の構成を示す説明図であり、図４（Ａ）は、一部断面平面図であり、図４（Ｂ）は、図４（Ａ）中のＩＶＢ−ＩＶＢ線に沿う断面図である。
【図５】図５は、図４に示す状態からカバー部材の着脱面を電子機器の着脱面に当接させた状態を示す説明図であり、図５（Ａ）は、一部断面平面図であり、図５（Ｂ）は、図５（Ａ）中のＶＢ−ＶＢ線に沿う断面図である。
【図６】図６は、図５に示す状態からカバー部材をスライドさせて着脱動作を完了した状態を示す説明図であり、図６（Ａ）は、一部断面平面図であり、図６（Ｂ）は、図６（Ａ）中のＶＩＢ−ＶＩＢ線に沿う断面図であり、図６（Ｃ）は、図６（Ａ）中のＶＩＣ−ＶＩＣ線に沿う断面図である。
【図７】図７は、係合凹部及び係合凸部の構成を示す拡大斜視図である。
【図８】図８は、図４（Ａ）に示す着脱構造の要部拡大図である。
【図９】図９は、図５（Ａ）に示す着脱構造の要部拡大図である。
【図１０】図１０は、図６（Ａ）に示す着脱構造の要部拡大図である。
【図１１】図１１は、電子機器にカバー部材を装着する前の状態を示す斜視図である。
【図１２】図１２は、電子機器の着脱口にカバー部材の係合凸部を挿入した状態を示す斜視図である。
【発明を実施するための形態】
【００２３】
以下、本発明に係る着脱構造について、この構造を備える電子機器及び付属器具との関係で好適な実施の形態を挙げ、添付の図面を参照しながら詳細に説明する。
【００２４】
図１は、本発明の一実施形態に係る電子機器１０に対して着脱構造１２を用いてカバー部材１４を装着した状態を示す斜視図である。本実施形態では、タブレット型ＰＣである電子機器１０に対し、付属器具であるカバー部材１４を着脱構造１２によって着脱する構成を例示する。電子機器１０はスマートフォン等でもよく、付属器具は無線又は有線によって電子機器１０と接続されるキーボード装置等でもよい。
【００２５】
電子機器１０は、タッチパネル式の液晶ディスプレイからなるディスプレイ装置１６を備え、筐体内部に基板、演算装置、メモリ等の各種電子部品を収納した公知のものを使用可能である。電子機器１０は、その一側面がカバー部材１４の着脱面１０ａとなっている。
【００２６】
カバー部材１４は、電子機器１０に対する装着部１８と、ディスプレイ装置１６を覆うためのカバー部２０と、装着部１８とカバー部２０との間を折り曲げ可能に連接する連接部２２とを備える。
【００２７】
装着部１８は、電子機器１０の着脱面１０ａに接続される矩形の棒状部材であり、着脱面１０ａに当接する面が電子機器１０に対する着脱面１８ａとなる。装着部１８はある程度の剛性を持った部材であり、アルミニウム等の金属や硬質の樹脂で形成されている。
【００２８】
カバー部２０は、電子機器１０のディスプレイ装置１６が設けられた面を覆うことができる薄板状のカバーであり（図２参照）、平面視で電子機器１０と略同一の外形を有した矩形形状である。カバー部２０は、例えば中心付近に折り曲げ線２０ａが設けられ、開放端部にゴム材料等からなる滑り止め部材２４が設けられている。カバー部材１４は、折り曲げ線２０ａによってカバー部２０を２つ折りに折り曲げ、滑り止め部材２４を電子機器１０の背面に当接させることにより、電子機器１０を机の上等で起立姿勢に保持するスタンド部材として機能する（図３参照）。折り曲げ線２０ａは、例えば２本並列されてもよく、この場合はカバー部２０を３つ折りのスタンド部材として機能させることができる。カバー部材１４には、ガラスエポキシ樹脂やポリカーボネイト、カーボン等からなる薄い平板を芯材とし、その周囲を皮革や人工皮革、布等で囲繞したものを用いるとよく、連接部２２についても同様でよい。
【００２９】
連接部２２は、装着部１８とカバー部材１４との間を折り曲げ可能に連接する部分であり、折り曲げ方向に沿って複数の折り曲げ線が形成されている。連接部２２を折り曲げることにより、電子機器１０に装着部１８を装着した状態でカバー部材１４を電子機器１０の表面に対して開閉し、さらにはカバー部材１４を電子機器１０の背面側に移動させてスタンド部材として機能させることができる。
【００３０】
次に、本実施形態に係る着脱構造１２の構成及びこの着脱構造１２を用いたカバー部材１４の電子機器１０への着脱動作について説明する。
【００３１】
図４は、本発明の一実施形態に係る着脱構造１２の構成を示す説明図であり、カバー部材１４を電子機器１０に装着する前の状態を示す図である。図５は、図４に示す状態からカバー部材１４の着脱面１８ａを電子機器１０の着脱面１０ａに当接させた状態を示す説明図であり、図６は、図５に示す状態からカバー部材１４をスライドさせて着脱動作を完了した状態を示す説明図である。また、図８〜図１０は、それぞれ図４（Ａ）〜図６（Ａ）に対応した要部拡大図である。
【００３２】
図４（Ａ）に示すように、着脱構造１２は、電子機器１０とカバー部材１４とを機械的に着脱する係合機構３０と、電子機器１０とカバー部材１４とを磁力によって着脱する吸着機構３２とを備える。
【００３３】
係合機構３０は、カバー部材１４側に設けられた係合凸部３４と、電子機器１０側に設けられた着脱口３６及び係合凹部３８とを有する。
【００３４】
係合凸部３４は、装着部１８の着脱面１８ａから突出するように左右一対設けられた板状部材である。図４（Ｂ）に示すように、係合凸部３４は、突出方向に向かって断面形状が拡幅した略台形形状であり、基端よりも板厚の大きな厚肉部３４ａを先端に有する。係合凸部３４の設置数は適宜変更可能であり、着脱口３６及び係合凹部３８は係合凸部３４の設置数と同数設置すればよい。
【００３５】
着脱口３６は、電子機器１０の着脱面１０ａに左右一対設けられた凹部である。着脱口３６は、係合凸部３４の厚肉部３４ａを挿脱可能な幅寸法を持った開口幅を有し、穴の奥まで厚肉部３４ａを進入可能な内部幅を有する（図５（Ａ）及び図５（Ｂ）参照）。従って、電子機器１０の着脱面１０ａに対してカバー部材１４の着脱面１８ａを近づける又は遠ざける方向（着脱方向）に移動させると、厚肉部３４ａを着脱口３６に挿脱することができる。
【００３６】
係合凹部３８は、着脱口３６と連通するように一体に形成されており、電子機器１０の着脱面１０ａに対して着脱口３６と共に開口している（図７参照）。図６（Ａ）、図６（Ｂ）及び図７に示すように、係合凹部３８は、着脱口３６に挿入された係合凸部３４をスライドさせた場合にその厚肉部３４ａをスライド方向に挿脱可能な拡幅部３８ａを有する。この係合凹部３８の開口縁部には、拡幅部３８ａに挿入された厚肉部３４ａをスライド方向と直行する方向（着脱方向）に係止可能な開口幅を持った狭幅部３８ｂが形成されている。狭幅部３８ｂは、係合凸部３４の基端部は通過可能な開口幅を有する。従って、図７に示すように、係合凹部３８と着脱口３６は段付きの開口幅を有する１つの溝状凹部として形成されている。
【００３７】
次に、吸着機構３２は、電子機器１０側に設けられた磁石４０Ｎ，４０Ｓと、カバー部材１４側に設けられた磁石４２Ｎ，４２Ｓとを有する。
【００３８】
電子機器１０に設けられた磁石４０Ｎは、着脱面１０ａにＮ極が臨むように筐体内に埋設された永久磁石であり（図６（Ｃ）も参照）、磁石４０Ｓは、着脱面１０ａにＳ極が臨むように筐体内に埋設された永久磁石である。吸着機構３２の電子機器１０側では、磁石４０Ｎ，４０Ｓ，４０Ｎの順となるように異なる極の磁石４０Ｎ，４０Ｓを交互に３個並べた組を、一対の係合凹部３８を跨ぐように２組設けている。
【００３９】
カバー部材１４の装着部１８に設けられた磁石４２Ｎは、着脱面１８ａにＮ極が臨むように装着部１８内に埋設された永久磁石であり、磁石４２Ｓは、着脱面１８ａにＳ極が臨むように装着部１８内に埋設された永久磁石である（図６（Ｃ）も参照）。吸着機構３２のカバー部材１４側では、磁石４２Ｓ，４２Ｎ，４２Ｓの順となるように異なる極の磁石４２Ｎ，４２Ｓを交互に３個並べた組を、一対の係合凸部３４を跨ぐように２組設けている。
【００４０】
吸着機構３２では、図６（Ａ）及び図１０に示すように電子機器１０にカバー部材１４を装着した状態、つまり係合凸部３４と係合凹部３８が係合した状態で、互いの磁石４０Ｎ（４０Ｓ）と磁石４２Ｓ（４２Ｎ）とが対面配置されて吸着した状態となるように各磁石４０Ｎ，４０Ｓ，４２Ｎ，４２Ｓが配置されている。また、吸着機構３２では、図５（Ａ）及び図９に示すように電子機器１０にカバー部材１４を装着する際に係合凸部３４が着脱口３６に挿入された状態で、互いの磁石４０Ｎ（４０Ｓ）と磁石４２Ｓ（４２Ｎ）とが半分程度ずれて対面配置された状態となり、互いの磁石４０Ｎ（４０Ｓ）と磁石４２Ｎ（４２Ｓ）との端部同士が僅かに対面配置された状態となるように各磁石４０Ｎ，４０Ｓ，４２Ｎ，４２Ｓが配置されている。なお、これら磁石４０Ｎ，４０Ｓ，４２Ｎ，４２Ｓの配置順や設置個数は適宜変更可能である。
【００４１】
以上のように構成された着脱構造１２を用いて電子機器１０にカバー部材１４を装着する際には、先ず、図１１に示すように、カバー部材１４の着脱面１８ａを電子機器１０の着脱面１０ａに対面させた状態とする。この際、図４（Ａ）及び図８に示すように、カバー部材１４の係合凸部３４が電子機器１０の着脱口３６に向かった配置とする。
【００４２】
続いて、図１２に示すように、カバー部材１４の着脱面１８ａを電子機器１０の着脱面１０ａに当接させ、係合凸部３４を着脱口３６に挿入する（図４（Ｂ）及び図５（Ｂ）も参照）。そうすると、図５（Ａ）及び図９に示すように、電子機器１０側の磁石４０Ｎ（４０Ｓ）とカバー部材１４側の磁石４２Ｓ（４２Ｎ）とが半分程度ずれて対面すると共に、互いの磁石４０Ｎ（４０Ｓ）と磁石４２Ｎ（４２Ｓ）との端部同士が僅かに対面する。そのため、互いの磁石４０Ｎ（４０Ｓ）と磁石４２Ｓ（４２Ｎ）との間に吸引力が発生する一方、互いの磁石４０Ｎ（４２Ｓ）と磁石４２Ｎ（４２Ｓ）との間に反発力が発生するため、カバー部材１４が図５（Ａ）及び図９中で左側に向かう力を受けて自動的に或いは僅かに手で押圧することで円滑にスライドする。
【００４３】
このようにカバー部材１４がスライドすると、着脱口３６に挿入されている係合凸部３４が着脱口３６内をスライドし、図６（Ａ）及び図１０に示すように、隣接する係合凹部３８へと挿入される。この際、係合凹部３８は、拡幅部３８ａによって着脱口３６からの係合凸部３４のスライドを許容する一方、狭幅部３８ｂによって係合凸部３４の厚肉部３４ａがスライド方向に直行する着脱方向に対して抜け出すことを規制している（図６（Ｂ）参照）。このため、図１に示すように、電子機器１０とカバー部材１４との間は、係合機構３０での機械的な連結構造と吸着機構３２での磁力による吸着構造とを備えた着脱構造１２によって強固に且つ安定した状態で連結固定される。
【００４４】
一方、電子機器１０に装着したカバー部材１４を取り外す場合には、カバー部材１４を装着時とは逆方向（図６（Ａ）及び図１０中で右側）にスライドさせる。これにより、図５（Ａ）及び図９に示すように係合凸部３４が着脱口３６までスライドされると、今度は互いの磁石４０Ｎ（４０Ｓ）と磁石４２Ｎ（４２Ｓ）との間の反発力によって係合凸部３４が着脱口３６から容易に押し出されるため、カバー部材１４を円滑に取り外すことができる。
【００４５】
以上のように、本実施形態に係る着脱構造１２は、カバー部材１４の着脱面１８ａから突出した係合凸部３４と、電子機器１０の着脱面１０ａに設けられ、係合凸部３４を挿脱可能な着脱口３６及び着脱口３６と連通形成されて該着脱口３６に挿入された係合凸部３４をスライドさせた場合に該係合凸部３４と係合可能な係合凹部３８とを有する係合機構３０と、電子機器１０に設けられた磁石４０Ｎ，４０Ｓと、カバー部材１４に設けられた磁石４２Ｎ，４２Ｓとを有し、係合凸部３４と係合凹部３８とが係合した状態では磁石４０Ｎ，４０Ｓと磁石４２Ｎ，４２Ｓとが吸着した状態となる吸着機構３２とを備える。
【００４６】
このように、着脱構造１２では、電子機器１０とカバー部材１４との間を、係合機構３０での機械的な連結構造と吸着機構３２での磁力による吸着構造とで装着する。従って、例えば吸着機構３２での磁力による吸着構造のみの場合に比べてカバー部材１４を電子機器１０に対してより強固に装着することができる。そのため、例えば図３に示す起立姿勢でディスプレイ装置１６を強くタッチ操作した場合に、吸着機構３２に対して吸着方向に垂直な方向の外力が加えられた場合であっても、係合機構３０の保持作用下に磁石４０Ｎ，４０Ｓと磁石４２Ｎ，４２Ｓとの間の吸着状態が外れることがなく、電子機器１０が倒れることを防止できる。また、例えば係合機構３０での機械的な連結構造のみの場合には、その着脱容易性を考慮すると係合凸部３４と係合凹部３８との間にある程度のクリアランスが必要であり、装着後にがたつきを生じ、製品品質を低下させる懸念がある。これに対して当該着脱構造１２では、係合機構３０でのクリアランスによるがたつきを吸着機構３２によって抑えることができるため、装着後のがたつきを防止して製品品質を高めることができる。一方、電子機器１０に装着されたカバー部材１４の取り外しは、カバー部材１４を逆方向にスライドさせて着脱口３６から係合凸部３４を引き抜くだけでよい。従って、着脱構造１２によれば、電子機器１０に対して付属器具であるカバー部材１４を高い保持力を持って装着することができ、しかも容易に着脱することができる。
【００４７】
また、吸着機構３２での磁力による連結構造のみを用いた場合には、十分な装着強度を確保するために磁石４０Ｎ等をある程度大型化させ或いは設置数を増加させる必要がある。これに対して当該着脱構造１２では、吸着機構３２での吸着状態を係合機構３０で補強できるため、磁石４０Ｎ等を小型化し或いは設置数を最小限にすることができる。反対に、係合機構３０での機械的な連結構造のみを用いた場合には、係合部分でのある程度の爪のかかり量を確保するたに十分なスライド量を確保する必要があり、構造が大型化し易い。これに対し、当該着脱構造１２では、係合機構３０でがたつきを吸着機構３２による磁力によって安定させることができるため、係合凸部３４の係合凹部３８へのかかり量を最小限としてスライド量を小さくすることができ、小型化・省スペース化が可能となり、小型化の要望の強いタブレット型ＰＣやスマートフォンに好適である。
【００４８】
着脱構造１２を構成する吸着機構３２では、磁石４０Ｎ，４０Ｓが交互に並べられ、磁石４２Ｎ，４２Ｓも交互に並べられると共に、係合凸部３４と係合凹部３８とが係合した状態では、磁石４０Ｎ（４０Ｓ）と磁石４２Ｓ（４２Ｎ）とが互いに対面配置されて吸着した状態となる。このため、電子機器１０に対するカバー部材１４の装着状態を確実に保持することができる。しかも、係合凸部３４と係合凹部３８とが係合していない状態では、少なくとも一部で磁石４０Ｎ及び磁石４２Ｎと磁石４０Ｓ及び磁石４２Ｓとが対面配置されて反発した状態となる。このため、磁石の反発力を確実に発生させることができ、カバー部材１４の着脱が一層円滑なものとなる。
【００４９】
なお、本発明は、上記した実施形態に限定されるものではなく、本発明の主旨を逸脱しない範囲で自由に変更できることは勿論である。
【００５０】
例えば、上記実施形態では、係合凸部３４をカバー部材１４に設け、着脱口３６及び係合凹部３８を電子機器１０に設けた構成を例示したが、係合凸部３４を電子機器１０に設け、着脱口３６及び係合凹部３８をカバー部材１４に設けてもよい。但し、係合凸部３４を電子機器１０に設けた場合には電子機器１０の側面に凸形状が形成されてしまうため、係合凸部３４は付属器具であるカバー部材１４に設けられることが好ましい。
【００５１】
上記実施形態では、電子機器１０及びカバー部材１４の両方に磁石４０Ｎ等を設けた構成を例示したが、磁石は一方のみにあればよく、他方はスチール等の磁石と吸着可能な被吸着体であってもよい。但し、上記した磁石４０Ｎ，４０Ｓ，４２Ｎ，４２Ｓ間での吸着力や反発力による自動的なスライド動作等を円滑に機能させる場合には、電子機器１０及びカバー部材１４の両方に磁石４０Ｎ等を設けておくことが好ましい。
【００５２】
上記実施形態では、係合機構３０を構成する係合凸部３４として、先端に厚肉部３４ａを有する板状部材を例示したが、その形状は相手側となる着脱口３６に挿入した状態でスライドさせることで係合凹部３８と係合可能な形状であれば他の形状であってもよい。例えば、係合凹部の開口を着脱口との連通部分のみに設けることで着脱面１０ａには直接的に開口していない形状とし、係合凸部の係合凹部側の側面に爪状の突起を設け、着脱口内で係合凸部をスライドさせた際に該突起が係合凹部に係合する構成等としてもよい。
【符号の説明】
【００５３】
１０  電子機器
１０ａ，１８ａ  着脱面
１２  着脱構造
１４  カバー部材
１６  ディスプレイ装置
１８  装着部
２０  カバー部
２２  連接部
２０ａ  折り曲げ線
３０  係合機構
３２  吸着機構
３４  係合凸部
３４ａ  厚肉部
３６  着脱口
３８  係合凹部
３８ａ  拡幅部
３８ｂ  狭幅部
４０Ｎ，４０Ｓ，４２Ｎ，４２Ｓ  磁石
【図１】
0005852182.tif 000002
【図２】
0005852182.tif 000003
【図３】
0005852182.tif 000004
【図４】
0005852182.tif 000005
【図５】
0005852182.tif 000006
【図６】
0005852182.tif 000007
【図７】
0005852182.tif 000008
【図８】
0005852182.tif 000009
【図９】
0005852182.tif 000010
【図１０】
0005852182.tif 000011
【図１１】
0005852182.tif 000012
【図１２】
0005852182.tif 000013